(57)【要約】【課題】放送および汎用ネットワークを介して提供される映像をジャンルごとにシームレスにチャネル選択できるようにし、ユーザの便宜を向上させた映像表示装置、映像信号出力装置、および映像表示装置のチャネル選択方法を提供すること。【解決手段】地上波放送および衛星波放送からは、ＥＰＧ情報を取得することによりお好みジャンルの番組の有無、放送時間、放送内容などのＥＰＧ情報を抽出する。さらにネット配信番組に対しても、映像配信サイトに接続すること、および、メールマガジンのキーワード検索処理により、お好みジャンルの番組の有無、放送時間、放送内容といった情報を抽出するようにしている。このような処理によりお好みジャンルの選局処理に関して公共放送とネット配信とを統一的に取り扱うことが可能となり、放送および汎用ネットワークを介して提供される映像に関し、ジャンルごとのシームレスなチャンネル切替が可能となる。【選択図】      図６
2006186922.tif 000002
【特許請求の範囲】
【請求項１】
表示器と、
ユーザの嗜好ジャンルを登録する登録手段と、
放送波を介して提供される電子番組表から前記登録手段に登録された嗜好ジャンルの番組提供情報を抽出する抽出手段と、
汎用ネットワークを介して配信されるストリーム映像のうち前記登録手段に登録された嗜好ジャンルに係わるストリーム映像の配信情報を作成する作成手段と、
前記嗜好ジャンルの視聴を要求する操作がなされた場合に、前記番組提供情報に含まれる番組と前記配信情報に含まれるストリーム映像とを前記表示器に順次切替表示するチャンネル切替手段とを具備することを特徴とする映像表示装置。
【請求項２】
前記作成手段は、
前記汎用ネットワークを検索して、前記登録手段に登録された嗜好ジャンルのストリーム映像を配信する映像配信サイトのアドレス情報を取得するアドレス情報取得手段と、
このアドレス情報取得手段により取得されたアドレス情報に基づいて前記映像配信サイトにアクセスし、前記嗜好ジャンルに係わるストリーム映像の配信情報を取得する配信情報取得手段とを備えることを特徴とする請求項１に記載の映像表示装置。
【請求項３】
前記作成手段は、さらに、前記配信情報のファイル形式をテキストベースのファイル形式に変換する変換手段を備え、
前記配信情報抽出手段は、前記変換手段によりファイル形式の変換された配信情報から、前記登録手段に登録された嗜好ジャンルに係わるストリーム映像の配信情報をキーワード検索することを特徴とする請求項２に記載の映像表示装置。
【請求項４】
前記作成手段は、
前記汎用ネットワークの映像配信サイトから受信したメールマガジンから、前記登録手段に登録された嗜好ジャンルに係わるストリーム映像の配信情報を抽出する配信情報抽出手段とを備えることを特徴とする請求項１に記載の映像表示装置。
【請求項５】
前記作成手段は、さらに、前記メールマガジンのファイル形式をテキストベースのファイル形式に変換する変換手段を備え、
前記配信情報抽出手段は、前記変換手段によりファイル形式の変換されたメールマガジンから、前記登録手段に登録された嗜好ジャンルに係わるストリーム映像の配信情報をキーワード検索することを特徴とする請求項４に記載の映像表示装置。
【請求項６】
映像を表示器に表示する映像表示装置の前記表示器に表示するための映像信号を出力する映像信号出力装置において、
ユーザの嗜好ジャンルを登録する登録手段と、
放送波を介して提供される電子番組表から前記登録手段に登録された嗜好ジャンルの番組提供情報を抽出する抽出手段と、
汎用ネットワークを介して配信されるストリーム映像のうち前記登録手段に登録された嗜好ジャンルに係わるストリーム映像の配信情報を作成する作成手段と、
前記嗜好ジャンルの視聴を要求する操作がなされた場合に、前記番組提供情報に含まれる番組と前記配信情報に含まれるストリーム映像とを前記表示器に順次切替表示するチャンネル切替手段とを具備することを特徴とする映像信号出力装置。
【請求項７】
前記作成手段は、
前記汎用ネットワークを検索して、前記登録手段に登録された嗜好ジャンルのストリーム映像を配信する映像配信サイトのアドレス情報を取得するアドレス情報取得手段と、
このアドレス情報取得手段により取得されたアドレス情報に基づいて前記映像配信サイトにアクセスし、前記嗜好ジャンルに係わるストリーム映像の配信情報を取得する配信情報取得手段とを備えることを特徴とする請求項６に記載の映像信号出力装置。
【請求項８】
前記作成手段は、さらに、前記配信情報のファイル形式をテキストベースのファイル形式に変換する変換手段を備え、
前記配信情報抽出手段は、前記変換手段によりファイル形式の変換された配信情報から、前記登録手段に登録された嗜好ジャンルに係わるストリーム映像の配信情報をキーワード検索することを特徴とする請求項７に記載の映像信号出力装置。
【請求項９】
前記作成手段は、
前記汎用ネットワークの映像配信サイトから受信したメールマガジンから、前記登録手段に登録された嗜好ジャンルに係わるストリーム映像の配信情報を抽出する配信情報抽出手段とを備えることを特徴とする請求項６に記載の映像信号出力装置。
【請求項１０】
前記作成手段は、さらに、前記メールマガジンのファイル形式をテキストベースのファイル形式に変換する変換手段を備え、
前記配信情報抽出手段は、前記変換手段によりファイル形式の変換されたメールマガジンから、前記登録手段に登録された嗜好ジャンルに係わるストリーム映像の配信情報をキーワード検索することを特徴とする請求項９に記載の映像信号出力装置。
【請求項１１】
映像を選択的に表示する映像表示装置に用いられるチャンネル選択方法において、
ユーザの嗜好ジャンルを登録する登録ステップと、
放送波を介して提供される電子番組表から前記登録ステップにおいて登録された嗜好ジャンルの番組提供情報を抽出する抽出ステップと、
汎用ネットワークを介して配信されるストリーム映像のうち前記登録ステップにおいて登録された嗜好ジャンルに係わるストリーム映像の配信情報を作成する作成ステップと、
前記嗜好ジャンルの視聴を要求する操作がなされた場合に、前記番組提供情報に含まれる番組と前記配信情報に含まれるストリーム映像とを前記映像表示装置の表示器に順次切替表示するチャンネル選択ステップとを具備することを特徴とするチャンネル選択方法。
【発明の詳細な説明】
【技術分野】
【０００１】
この発明は、例えばデジタルテレビジョン放送受信装置などに使用して好適する映像表示装置、映像信号出力装置、および映像表示装置のチャネル選択方法に関する。
【背景技術】
【０００２】
周知のように、近年では、テレビジョン放送のデジタル化が推進されている。例えば、日本国内においては、ＢＳ（Broadcasting Satellite）デジタル放送および１１０度ＣＳ（Communication Satellite）デジタル放送等の衛星デジタル放送だけでなく、地上デジタル放送も開始されている。このようなデジタルテレビジョン放送を受信するデジタル放送受信装置にあっては、ＥＰＧ（Electronic Program Guide）情報が放送信号に多重されて提供され、この情報から電子番組表が抽出される。この電子番組表は表示装置の画面に表示され、ユーザは表示された電子番組表から所望の番組を選択して視聴や録画予約等を行なうことができる。  
ＥＰＧを用いれば、種々の便利な機能を提供することができる。例えば、ユーザの嗜好に合う視聴ジャンル（お好みジャンル）を予めテレビセットに登録することで、視聴したい番組を簡易に選局できるようにする機能が提供されている（例えば、特許文献１を参照）。
【特許文献１】特開２００１−２６８４６７号公報
【発明の開示】
【発明が解決しようとする課題】
【０００３】
ところで、近年ではインターネットなどの汎用ネットワークを介した映像配信サービスが開始されている。地上波放送および衛星放送サービスにおいてはＥＰＧの概念が確立されているが、ネット配信サービスにおいては必ずしもそうとはいえない状況にある。ネット番組の配信業者やサービス形態は多種多様であり、このことが、ネット配信サービスを既存の映像放送システムと統一的に取り扱うことを難しくしている。お好みジャンルの検索機能においても事情は同じで、お好みジャンルのチャネル選択機能をネット配信サービスと併せて提供できるようにした装置は知られていない。
【０００４】
本発明は上記事情によりなされたもので、その目的は、放送および汎用ネットワークを介して提供される映像をジャンルごとにシームレスにチャネル選択できるようにし、ユーザの便宜を向上させた映像表示装置、映像信号出力装置、および映像表示装置のチャネル選択方法を提供することにある。
【課題を解決するための手段】
【０００５】
上記目的を達成するために本発明の一態様によれば、表示器と、ユーザの嗜好ジャンルを登録する登録手段と、放送波を介して提供される電子番組表から前記登録手段に登録された嗜好ジャンルの番組提供情報を抽出する抽出手段と、汎用ネットワークを介して配信されるストリーム映像のうち前記登録手段に登録された嗜好ジャンルに係わるストリーム映像の配信情報を作成する作成手段と、前記嗜好ジャンルの視聴を要求する操作がなされた場合に、前記番組提供情報に含まれる番組と前記配信情報に含まれるストリーム映像とを前記表示器に順次切替表示するチャンネル切替手段とを具備することを特徴とする映像表示装置が提供される。
【０００６】
このような手段を講じることにより、インターネットなどの汎用ネットワークを介して配信されるストリーム映像の、ユーザのお好みのジャンルに基づく配信情報が作成される。すなわちユーザのお好みジャンルの映像の配信スケジュールを事前に作成できるので、これと、既存のＥＰＧを用いたお好みジャンル登録機能と併せて用いることで、放送および汎用ネットワークを介して提供される映像をジャンルごとにシームレスにチャネル選択することが可能になる。
【発明の効果】
【０００７】
本発明によれば、放送および汎用ネットワークを介して提供される映像をジャンルごとにシームレスにチャネル選択できるようになり、ユーザの便宜を向上させた映像表示装置、映像信号出力装置、および映像表示装置のチャネル選択方法を提供することができる。
【発明を実施するための最良の形態】
【０００８】
図１は、本発明に係わる映像表示装置が用いられる放送システムの実施の形態を示すシステム図である。図１において、符号７００は本発明に係わる映像表示装置としてのデジタルテレビジョン放送受信装置であり、以下、ＴＶセット７００と称する。ＴＶセット７００は地上波受信アンテナ４８と衛星受信アンテナ４３とに接続されるのに加え、有線または無線によるインターネットＩＴＮへの接続インタフェースを備える。このようにＴＶセット７００は複数の映像ソースに接続され、どの映像ソースから提供される映像も視聴することができる。
【０００９】
放送局１００から地上波送信アンテナを介して送出された地上波は、地上波中継器６００などを介してＴＶセット７００の地上波受信アンテナ４８に到達する。同様に放送局１００から衛星送信アンテナを介して送出された衛星波は、衛星中継器２００を介してＴＶセット７００の衛星受信アンテナ４３に到達する。地上波および衛星波のいずれにも、ＥＰＧが含まれる。
【００１０】
一方、インターネットにはストリーム映像を配信するネット番組配信センター３００がある。この配信センター３００はホストコンピュータ４００を介してアクセス地点５００に接続される。ＴＶセット７００はアクセス地点５００を介してネット番組配信センター３００に接続される。
【００１１】
図２は、図１のＴＶセット７００の外観と、このＴＶセット７００を中心として構成されるネットワークシステムの一例を概略的に示す図である。すなわち、ＴＶセット７００は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このＴＶセット７００には、例えばＳＤ（Secure Digital）メモリカード、ＭＭＣ（Multimedia Card）などの第１のメモリカード１９が着脱可能となっており、この第１のメモリカード１９に対して番組や写真等の情報の記録再生が行なわれるようになっている。
【００１３】
さらに、このＴＶセット７００には、例えば契約情報等の記録された第２のメモリカード（ＩＣカード）２０が着脱可能となっており、この第２のメモリカード２０に対して情報の記録再生が行なわれるようになっている。
【００１４】
また、このＴＶセット７００は、第１のＬＡＮ（Local Area Network）端子２１、第２のＬＡＮ端子２２、ＵＳＢ（Universal Serial Bus）端子２３およびｉ．Link端子２４を備えている。このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１５】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１６】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１７】
なお、ＤＶＤレコーダ２９については、第２のＬＡＮ端子２２を介して通信されるデジタル情報が制御系のみの情報であるため、ＴＶセット７００との間でアナログの映像および音声情報を伝送するために、専用のアナログ伝送路３０を設ける必要がある。さらに、この第２のＬＡＮ端子２２は、ハブ２６に接続されたブロードバンドルータ３１を介して、インターネットＩＴＮに接続し、そのインターネットＩＴＮを介してＰＣ３３や携帯電話３４、アクセス地点５００等と情報伝送を行なうために使用される。
【００１８】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００１９】
図３は、図１および図２のＴＶセット７００の主要な信号処理系を示す図である。すなわち、ＢＳ／ＣＳデジタル放送受信用の衛星受信アンテナ４３に到達した衛星デジタルテレビジョン放送信号は、入力端子４４を介して衛星デジタル放送用のチューナ４５に供給されることにより、所望のチャンネルの放送信号が選局される。そして、このチューナ４５で選局された放送信号は、ＰＳＫ（Phase Shift Keying）復調器４６に供給されて、デジタルの映像信号および音声信号に復調された後、信号処理部４７に出力される。また、地上波放送受信用の地上波受信アンテナ４８に到達した地上デジタルテレビジョン放送信号は、入力端子４９を介して地上デジタル放送用のチューナ５０に供給されることにより、所望のチャンネルの放送信号が選局される。
【００２０】
そして、このチューナ５０で選局された放送信号は、ＯＦＤＭ（Orthogonal Frequency Division Multiplexing）復調器５１に供給されて、デジタルの映像信号および音声信号に復調された後、信号処理部４７に出力される。また、地上波受信アンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号および音声信号に復調された後、上記信号処理部４７に出力される。
【００２１】
ここで、上記信号処理部４７は、ＰＳＫ復調器４６およびＯＦＤＭ復調器５１からそれぞれ供給されたデジタルの映像信号および音声信号に対して、選択的に所定のデジタル信号処理を施し、グラフィック処理部５４および音声処理部５５に出力している。
【００２２】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号および音声信号を、ＴＶセット７００の外部から入力可能とするものである。
【００２３】
そして、この信号処理部４７は、上記アナログ復調器５３および各入力端子５６ａ〜５６ｄからそれぞれ供給されたアナログの映像信号および音声信号を選択的にデジタル化し、そのデジタル化された映像信号および音声信号に対して所定のデジタル信号処理を施した後、グラフィック処理部５４および音声処理部５５に出力している。
【００２４】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００２５】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００２６】
ここで、このＴＶセット７００は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００２７】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報および制御情報等が格納される不揮発性メモリ６４とを利用している。
【００２８】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００２９】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３０】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３１】
さらに、上記制御部６１は、通信Ｉ／Ｆ７０を介して第２のＬＡＮ端子２２に接続されている。これにより、制御部６１は、第２のＬＡＮ端子２２に接続された各機器（図２参照）と、通信Ｉ／Ｆ７０を介して情報伝送を行なうことができる。また、上記制御部６１は、ＵＳＢ Ｉ／Ｆ７１を介して前記ＵＳＢ端子２３に接続されている。これにより、制御部６１は、ＵＳＢ端子２３に接続された各機器（図２参照）と、ＵＳＢ Ｉ／Ｆ７１を介して情報伝送を行なうことができる。さらに、上記制御部６１は、ｉ．Link Ｉ／Ｆ７２を介してｉ．Link端子２４に接続されている。これにより、制御部６１は、ｉ．Link端子２４に接続された各機器（図２参照）と、ｉ．Link Ｉ／Ｆ７２を介して情報伝送を行なうことができる。
【００３２】
図４は、図３の制御部６１の機能的構成を示す機能ブロック図である。図４において制御部６１は、登録処理部６１ａと、抽出処理部６１ｂと、作成処理部６１ｃと、チャンネル切替処理部６１ｄとを備える。登録処理部６１ａは、ユーザのお好みジャンルを予め登録するためのソフトウェア機能である。登録された情報は不揮発性メモリ６４に記憶される。
【００３３】
抽出処理部６１ｂは、地上波および衛星波を介して提供されるＥＰＧから、ユーザのお好みジャンルの番組提供情報を抽出するためのソフトウェア機能である。番組提供情報は、お好み番組の有無、放送時間、放送内容などの情報を含む。作成処理部６１ｃは、インターネットＩＴＮを介して配信されるストリーム映像のうちユーザのお好みジャンルのストリーム映像の配信情報を作成するためのソフトウェア機能である。この配信情報も、お好み番組の有無、放送時間、放送内容などの情報を含む。
【００３４】
チャンネル切替処理部６１ｄは、リモートコントローラ１７などを介してお好みジャンルの視聴を要求する操作がなされた場合に、地上波放送および衛星放送の番組提供情報に含まれる番組と、ネット配信番組の配信情報に含まれるストリーム映像とを、映像表示器１４に順次切替表示するためのソフトウェア機能である。
【００３５】
さらに作成処理部６１ｃは、制御プログラムにパッチされるサブルーチンなどとして実現される、アドレス情報取得処理部６ａと、配信情報取得処理部６ｂと、ファイル変換処理部６ｃと、配信情報抽出処理部６ｄとを備える。アドレス情報取得処理部６ａは、サーチエンジンなどを用いてインターネットＩＴＮを検索することにより、ユーザのお好みジャンルのストリーム映像を配信するネット番組配信センター３００のアドレス情報（ＵＲＬ：Uniform Resource Locater）を取得するためのソフトウェア機能である。
【００３６】
配信情報取得処理部６ｂは、上記取得されたＵＲＬのネット番組配信センター３００にアクセスし、ユーザのお好みジャンルに係わるストリーム映像の配信情報を取得するためのソフトウェア機能である。配信情報抽出処理部６ｄは、ネット番組配信センター３００からメールマガジンにより番組提供情報が提供される場合に、このメールマガジンからユーザのお好みジャンルのストリーム映像の配信情報を抽出するためのソフトウェア機能である。
【００３７】
ファイル変換処理部６ｃは、配信情報またはメールマガジンが例えばHTML形式（*.html）のデータファイルで配信される場合に、このファイルを例えばテキスト形式（*.txt）に変換するためのソフトウェア機能である。テキストベースのファイルを用いることにより、配信情報抽出処理部６ｄは、ユーザのお好みジャンルのストリーム映像の配信情報を容易にキーワード検索できる。
【００３８】
図５は、ＥＰＧからお好み番組情報を取得するための制御部６１（図３，図４）の処理手順を示すフローチャートである。図５において、地上波および衛星波におけるＥＰＧの付加されたチャンネルポジションが選局されると、制御部６１はＥＰＧ情報の有無を周期的に確認し、ＥＰＧを取り出せるまで待つ（ステップＳ２１，Ｓ２２）。次に制御部６１は、ＴＶセット７００において許容される期間内のＥＰＧをＲＡＭ６３のバッファ領域に取り込む（ステップＳ２３）。
【００３９】
次に制御部６１は、ユーザが予めＴＶセット７００に登録したお好みジャンル情報をメモリから呼び出す。次に制御部６１は上記バッファ領域を検索し、ユーザが設定したお好みジャンル情報に合致する番組がＥＰＧにあるか否かを判定する（ステップＳ２４）。検索してもお好みジャンル番組が無い場合には処理を抜ける。
【００４０】
ＥＰＧにお好みジャンル番組が有る場合には、その番組のチャンネル情報、放送時間、番組タイトル、放送内容などの情報を全てＥＰＧから取り出す（ステップＳ２５）。そして制御部６１は、取り出したデータのチャンネル情報、放送時間、番組タイトル、放送内容を日付け順にソーティングする（ステップＳ２６）。ソーティングが終了すると、制御部６１はお好みジャンル情報を保管するメモリ領域に、ソート済みのデータを保存する（ステップＳ２７）。
【００４１】
図６は、ネット配信されるストリーム映像からお好み番組情報を取得するための制御部６１（図３，図４）の処理手順を示すフローチャートである。ネットサイトから配信されるストリーム映像の番組情報をインターネットＩＴＮから取得するには、ネット配信番組の供給サイトに直接アクセス場合と、メールマガジンを利用する場合との２通りが考えられる。
【００４２】
図６において、制御部６１はまずネット配信会社からの番組情報がメールマガジンにより届けられているか否かを判定する（ステップＳ３１）。届られていなければ、制御部６１は検索エンジンを活用してユーザのお好みジャンルに対応するネット配信番組を供給するサイトの有無を検索する（ステップＳ３２）。検索の結果、所望のネット配信番組を供給するサイトが存在しない場合には処理を抜ける。サイトが見つかった場合には、検索エンジンでヒットしたアドレス情報分だけ、制御部６１は各番組供給サイトにアクセスする。番組供給サイトにアクセスしたのち制御部６１は、番組供給サイトで提供する番組表ファイルをＴＶセット７００にダウンロードする。ダウンロードが完了すると、制御部６１は番組表ファイルを放送時間、番組タイトル、ジャンルといった区分けのし易いファイル形式に変換する。
【００４３】
制御部６１はこのジャンルの並びから、ユーザが設定したお好みジャンル情報に合致する番組の有無を検索する。検索の結果、お好みジャンル番組が無い場合には処理を抜けるが、有る場合には制御部６１は当該番組の放送時間、番組タイトルなどを取り出す。これらの情報を取り出したのち、制御部６１は日付け順にサイトのアドレス情報、放送時間、番組タイトルをソーティングする。ソーティングが終了次第、制御部６１はお好みジャンル情報を保管するメモリ領域にデータを保存させる（ステップＳ３３〜Ｓ３７）。
【００４４】
一方、メールマガジンが配信されていれば（ステップＳ３１でＹＥＳ）、制御部６１はメールマガジンを放送時間、番組タイトル、ジャンルといった区分けのし易いファイル形式に変換する（ステップＳ３９）。そして制御部６１は、ジャンルの並びから、ユーザが設定したお好みジャンル情報に合致する番組の有無をキーワード検索する（ステップＳ４０）。検索の結果、お好みジャンル番組が無い場合には処理を抜け、ステップＳ３１のネット検索処理に移行する（ステップＳ４３）。
【００４５】
お好みジャンル番組が有る場合には、制御部６１は当該番組の放送時間、番組タイトルなどを取り出す。これらの情報を取り出したのち、制御部６１は日付け順にサイトのアドレス情報、放送時間、番組タイトルをソーティングする。このソーティングが終了次第、制御部６１はお好みジャンル情報を保管するメモリ領域にデータを保存させる。
【００４６】
なお、既存の技術では、ユーザが登録したお好みジャンルに該当するチャンネルポジション、番組タイトル、放送日時、番組内容といった情報を、映像表示器１４を介して確認することはできる。すなわち上記の手順において、お好みジャンルに該当する番組情報を選別すること、および、お好みジャンルに該当する番組情報のみをメモリに格納する技術については、既存の技術をそのまま流用できる。
【００４７】
図７は、ユーザによりお好みジャンルの視聴を要求する操作がなされた場合の制御部６１の処理手順を示す第１のフローチャートである。図７において、ローカルキー押下、またはリモコンキー操作により、ユーザがお好みチャンネルのアップダウン選局、ダイレクト選局を実施するに際し、既に登録済みのお好みジャンルで選局動作を実施する場合には、直ぐに選局動作を実施することができる（ステップＳ５１〜Ｓ５３、およびステップＳ５４）。一方、お好みジャンルが新規に指定された場合には、図５および図６の処理手順が逐次実行される。お好みジャンルの選局に必要な情報を取得中である状態において、映像表示器１４（図３）に「お好みジャンルの番組の有無を検索中」の旨の表示をすると良い。
【００４８】
次に制御部６１は、地上波放送におけるお好みジャンル番組に関する情報をメモリから呼び出す（ステップＳ５５）。次に制御部６１は、ユーザがお好みジャンル選局を実施し時点における放送が地上波で放送されているか否かを確認する（ステップＳ５６）。放送されていない場合には衛星波の選局動作に移る（図８の（１））。お好みジャンルの放送があれば、チャンネルポジションの低い順に選局動作を行う（ステップＳ５７〜ステップＳ５９）。なを好みジャンルに指定した番組が放送されていないチャンネルポジションはスキップされる。
【００４９】
図８は、ユーザによりお好みジャンルの視聴を要求する操作がなされた場合の制御部６１の処理手順を示す第２のフローチャートである。制御部６１は、衛星放送におけるお好みジャンル番組に関する情報をメモリから呼び出す（ステップＳ６１）。次に制御部６１は、ユーザがお好みジャンル選局を実施し時点における放送が衛星波で放送されているか否かを確認する（ステップＳ６２）。放送されていない場合にはネット配信のサイト接続による選局動作に移る（図９の（２））。お好みジャンルの放送があれば、チャンネルポジションの低い順に選局動作を行う（ステップＳ６３〜ステップＳ６５）。なお好みジャンルに指定した番組が放送されていないチャンネルポジションはスキップされる。
【００５０】
図９は、ユーザによりお好みジャンルの視聴を要求する操作がなされた場合の制御部６１の処理手順を示す第３のフローチャートである。制御部６１は、ネット配信におけるお好みジャンル番組に関する情報をメモリから呼び出す（ステップＳ７１）。次に制御部６１は、ユーザがお好みジャンル選局を実施し時点における放送がネット配信で配信されているか否かを確認する（ステップＳ７２）。配信されていない場合には処理は終了し、お好みジャンル選局の実施前のチャンネルポジションに戻る。お好みジャンルの配信があれば、制御部６１は、登録されたサイトアドレスの順番にサイト接続処理を実施する（ステップＳ７３〜ステップＳ７５）。
【００５１】
このように本実施形態では、地上波放送および衛星波放送からは、ＥＰＧ情報を取得することによりお好みジャンルの番組の有無、放送時間、放送内容などのＥＰＧ情報を抽出する。さらにネット配信番組に対しても、映像配信サイトに接続すること、および、メールマガジンのキーワード検索処理により、お好みジャンルの番組の有無、放送時間、放送内容といった情報を抽出するようにしている。このような処理により、お好みジャンルの選局処理に関して公共放送とネット配信とを統一的に取り扱うことが可能となる。従って、放送および汎用ネットワークを介して提供される映像をジャンルごとにシームレスにチャネル選択できるようにし、ユーザの便宜を向上させた映像表示装置、映像信号出力装置、および映像表示装置のチャネル選択方法を提供することが可能となる。
【００５２】
既存の技術では、お好みジャンルのデータ取得対象はＥＰＧの存在する地上波、衛星波（ＣＡＴＶ局からケーブルを介して、伝送されるＥＰＧ情報も含む）に限られていた。これに対しこの実施形態では、インターネットＩＴＮを介して配信されるストリーム映像からもお好みジャンルのデータを取得することが可能になる。これにより地上波、衛星波に加えて、ネットによる番組配信サイトへの接続をも含めてシームレスな選局を実施することが可能になる。
【００５３】
なお本発明は上記実施形態そのままに限定されるものではない。例えば図７〜図９のフローチャートにおいて、地上波→衛星波→ネット配信サイトへの接続という順番の処理手順を示したが、選局の順番はこの順に限られるものではない。また本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５４】
【図１】本発明に係わる映像表示装置が用いられる放送システムの実施の形態を示すシステム図。
【図２】図１のＴＶセット７００の外観と、このＴＶセット７００を中心として構成されるネットワークシステムの一例を概略的に示す図。
【図３】図１および図２のＴＶセット７００の主要な信号処理系を示す図。
【図４】図３の制御部６１の機能的構成を示す機能ブロック図。
【図５】ＥＰＧからお好み番組情報を取得するための制御部６１の処理手順を示すフローチャート。
【図６】ネット配信されるストリーム映像からお好み番組情報を取得するための制御部６１の処理手順を示すフローチャート。
【図７】ユーザによりお好みジャンルの視聴を要求する操作がなされた場合の制御部６１の処理手順を示す第１のフローチャート。
【図８】ユーザによりお好みジャンルの視聴を要求する操作がなされた場合の制御部６１の処理手順を示す第２のフローチャート。
【図９】ユーザによりお好みジャンルの視聴を要求する操作がなされた場合の制御部６１の処理手順を示す第３のフローチャート。
【符号の説明】
【００５５】
１００…放送局、２００…衛星中継器、３００…ネット番組配信センター、４００…ホストコンピュータ、５００…アクセス地点、６００…地上波中継器、７００…デジタルテレビジョン放送受信装置（ＴＶセット）、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…端子、２５…ＨＤＤ、２６…ハブ、２７…ＨＤＤ、２８…ＰＣ、２９…ＤＶＤレコーダ、３０…アナログ伝送路、３１…ブロードバンドルータ、ＩＴＮ…インターネット、３３…ＰＣ、３４…携帯電話、３５…ハブ、３６…携帯電話、３７…デジタルカメラ、３８…カードリーダ／ライタ、４０…キーボード、４１…ＡＶ−ＨＤＤ、４２…Ｄ−ＶＨＳ、４３…地上波受信アンテナ、４４…入力端子、４５…チューナ、４６…ＰＳＫ復調器、４７…信号処理部、４８…衛星受信アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６６…カードホルダ、６８…カードホルダ、６１ａ…登録処理部、６１ｂ…抽出処理部、６１ｃ…作成処理部、６１ｄ…チャンネル切替処理部、６ａ…アドレス情報取得処理部、６ｂ…配信情報取得処理部、６ｃ…ファイル変換処理部、６ｄ…配信情報抽出処理部
【図１】
2006186922.tif 000003
【図２】
2006186922.tif 000004
【図３】
2006186922.tif 000005
【図４】
2006186922.tif 000006
【図５】
2006186922.tif 000007
【図６】
2006186922.tif 000008
【図７】
2006186922.tif 000009
【図８】
2006186922.tif 000010
【図９】
2006186922.tif 000011